(57)【要約】【課題】  ネットワーク環境を考慮して迅速に画像形成装置間でドキュメントを移動することができる画像形成システムを提供する。【解決手段】  複数の画像形成装置１とホスト装置２がネットワーク３で接続された画像形成システムにおいて、各画像形成装置１にＤＶＤドライブ４を設けるようにした。【選択図】        図１
2007136754.tif 000002
【特許請求の範囲】
【請求項１】
複数の画像形成装置とホスト装置がネットワークで接続された画像形成システムにおいて、各画像形成装置にＤＶＤドライブを設けたことを特徴とする画像形成システム。
【請求項２】
請求項１記載の画像形成システムにおいて、前記ＤＶＤドライブに装着して、各画像形成装置が保持するドキュメントの書き込み、読み取りを行うメディアとして、ＤＶＤ−Ｒ／＋Ｒメディアを使用することを特徴とする画像形成システム。
【請求項３】
請求項２記載の画像形成システムにおいて、前記ＤＶＤドライブは、ＤＶＤ−Ｒ／＋Ｒメディアに対して、暗号化したドキュメントの書き込み、読み取りを行うことを特徴とする画像形成システム。
【請求項４】
請求項３記載の画像形成システムにおいて、ＤＶＤドライブは、ＤＶＤ−Ｒ／＋Ｒメディアに対して、オリジナルと区別するための識別子となる情報をコントロールゾーンに記録することを特徴とする画像形成システム。
【発明の詳細な説明】
【技術分野】
【０００１】
本発明は、複数の画像形成装置とホスト装置がネットワークで接続された画像形成システムに関する。
【背景技術】
【０００２】
複数の画像形成装置とホスト装置（クライアントＰＣ）がネットワークで接続され、ホスト装置で作成された印刷データを任意の画像形成装置で出力したり、画像形成装置同士でドキュメントを移動して出力したり、保存する画像形成システムが広く普及している。
ここで、画像形成装置間でドキュメントを移動する場合、ドキュメントが蓄積された画像形成装置とドキュメント移動先の画像形成装置との間の転送速度は、接続されるネットワーク機器に大きく左右される。
市場に出回っているネットワーク機器の速度を見ると、１０Ｍｂｐｓ、１００Ｍｂｐｓ、１Ｇｂｐｓがある（有線の場合）。１０Ｍｂｐｓは、無線規格の１ＥＥＥ８０２．１１ｂで規格されたものもある。これらを使ってドキュメントを転送する場合の時間を想定すると図３のようになる。現在のオフィス環境では、実用的な時間を見出せる１Ｇｂｐｓは、まだ一般的ではなく、１０Ｍｂｐｓあるいは１００Ｍｂｐｓが主流である。
なお、先行文献として、特許文献１には、イントラネット上のスキャナ装置１１、プリンタ装置１２、ファクシミリ装置１３は、処理する電子ドキュメントをメモリ部２６のＨＤＤ内に装置毎の登録ＩＤに対応付けして蓄積すると共に、該登録ＩＤおよび蓄積アドレスと共に当該電子ドキュメンのＩＤ情報をサーバ装置１４に送ってＰＣ１５からの検索要求により検索出力可能に蓄積管理させる技術が開示されている。
【特許文献１】特開２０００−８９９９７公報
【発明の開示】
【発明が解決しようとする課題】
【０００３】
ドキュメントを画像形成装置間のネットワークで移動する場合、蓄積されている量にもよるが、その量が多ければ多いほど時間を要する。また、第三者によるネットワークの盗聴もありデータの安全性が確保されない場合も生じる。ネットワークのＶＰＮ化やデータの暗号化により安全性は向上するが、この場合、さらに転送速度が低下するという問題がある。
本発明はこのような背景に鑑みてなされたものであり、ネットワーク環境を考慮して迅速に画像形成装置間でドキュメントを移動することができる画像形成システムを提供することを目的とする。
【課題を解決するための手段】
【０００４】
上記目的を達成するために、請求項１記載の発明は、複数の画像形成装置とホスト装置がネットワークで接続された画像形成システムにおいて、各画像形成装置にＤＶＤドライブを設けたことを特徴とする。
請求項２記載の発明は、請求項１記載の画像形成システムにおいて、ＤＶＤドライブに装着して、各画像形成装置が保持するドキュメントの書き込み、読み取りを行うメディアとして、ＤＶＤ−Ｒ／＋Ｒメディアを使用することを特徴とする。
請求項３記載の発明は、請求項２記載の画像形成システムにおいて、ＤＶＤドライブは、ＤＶＤ−Ｒ／＋Ｒメディアに対して、暗号化したドキュメントの書き込み、読み取りを行うことを特徴とする。
請求項４記載の発明は、請求項３記載の画像形成システムにおいて、ＤＶＤドライブは、ＤＶＤ−Ｒ／＋Ｒメディアに対して、オリジナルと区別するための識別子となる情報をコントロールゾーンに記録することを特徴とする。
【発明の効果】
【０００５】
本発明によれば、各画像形成装置にＤＶＤドライブを備えることで、各画像形成装置のネットワーク環境によってはドキュメントの移動に際し、ネットワークを使用せず、大容量の記録が可能なＤＶＤメディアをＤＶＤドライブに装着し、画像形成装置内のドキュメントをこのＤＶＤメディアに記録する。そして、ユーザが移動先の画像形成装置まで運んで、そのＤＶＤメディアを移動先の画像形成装置のＤＶＤドライブに装着し、ＤＶＤメディアに格納されたドキュメントを読み出して移動先の画像形成装置のメモリに書き込むようにすれば、ネットワーク環境を考慮して迅速に画像形成装置間でドキュメントを移動することができる。
【発明を実施するための最良の形態】
【０００６】
以下、本発明の実施形態を図面に従って説明する。
図１は本発明の実施形態に係る画像形成システムの構成図である。
例えばコピー機能、ファクシミリ機能、プリンタ機能などを併せ持つ画像形成装置（複合機）１（１−１、１−２）とクライアントＰＣ２とがネットワーク３により接続されている。
そして前述したように、クライアントＰＣ２で作成した印刷データを任意の複合機１で出力したり、複合機１同士でドキュメントを移動して出力したり、保存することができるようになっている。
前述したように、ドキュメントを複合機間のネットワーク３で移動する場合、蓄積されている量にもよるが、その量が多ければ多いほど時間を要する。また、第三者によるネットワーク３の盗聴もありデータの安全性が確保されない場合も生じる。
本発明の画像形成システムは、複合機１にＤＶＤドライブ４（４−１、４−２）を備える。複合機１のネットワーク環境によっては、ドキュメントの移動に際し、ネットワーク３を使用せず、大容量の記録が可能なＤＶＤメディア（光ディスク）をＤＶＤドライブ４に装着し、複合機１内部のドキュメントをこのＤＶＤメディアに記録する。
そして、ユーザが移動先の複合機１まで運んで、そのＤＶＤメディアを移動先の複合機１のＤＶＤドライブ４に装着し、ＤＶＤメディアに格納されたドキュメントを読み出して移動先の複合機１のメモリに書き込む。
ここで、ＤＶＤメディアには、一度しか記録できないもの、あるいは何度も記録できるものがあるが、ここでは、安全性を考慮して一度しか記録できないＤＶＤ−Ｒ／＋Ｒメディアを使用する。一度しか記録できないので、第三者によって一部のデータを改ざんされるのを防ぐことが可能となる。また、暗号化したデータを記録することで、さらにデータの信頼性を上げることができる。
ＤＶＤ−Ｒ／＋Ｒメディアへの記録は、現在発売されている１６倍速メディアと１６倍速記録可能ドライブを使用することで、約６〜７分で終了する。また、読み出しも同様の時間で可能である。そのため、メディアの移動時間を除けば最高でも１２〜１３分程度で４．７Ｇｂｙｔｅを処理できる。
【０００７】
図３に示すように、ネットワーク３を使ったドキュメントの転送速度は、１０Ｍｂｐｓの場合、ネットワーク３が論理値通りに動作した場合でも約１時間かかるので、ドキュメントの移動が同一フロア内、あるいは同一ビル内で行われる場合、ＤＶＤメディアの持ち運びの方が、ネットワーク３を使用するよりは迅速にドキュメントの移動を行うことができる。また、ネットワーク３が各拠点の支店間をつなぐような場合には、高速通信は望めないので、各拠点の距離にもよるがＤＶＤメディアによるドキュメントの移動に優位性がある場合が多い。
【０００８】
次に、複製を防ぐための手法について説明する。メディアに記録するデータそのものは暗号化することで、読み込み時における第三者へ情報が漏れることはある程度防げるが、ＤＶＤドライブ４の一般的なコマンドを使用することで、複製そのものは可能である（Ｗｉｎｄｏｗｓ（登録商標）系アプリケーションのコピーツールを使った場合）。
そこで、汎用のインターフェース（ＡＴＡＰＩコマンド体系、ＵＳＢコマンド体系等）を拡張し、更にオリジナルと区別するための識別子となる情報をデータ領域ではなく、コントロールゾーンに記録することで、汎用のインターフェースを用いた読み出しをできなくすることが可能となる。図２はコントロールデータゾーンの情報例を示す図である。
このため、別のＤＶＤドライブ４で汎用のインターフェースを使って読み出すことができずまったく同一の複製を作るのが不可能となる。また、作成されたＤＶＤディスクの再生においても、汎用のインターフェースを拡張したものでのみ読み出しを可能にすることで、別のＤＶＤドライブ４で読み出すことができなくなる。
【図面の簡単な説明】
【０００９】
【図１】本発明の実施形態に係る画像形成システムの構成図である。
【図２】コントロールデータゾーンの情報例を示す図である。
【図３】ネットワーク速度と時間の関係を表で示す図である。
【符号の説明】
【００１０】
１  複合機（画像形成装置）、２  クライアントＰＣ（ホスト装置）、３  ネットワーク、４  ＤＶＤドライブ
【図１】
2007136754.tif 000003
【図２】
2007136754.tif 000004
【図３】
2007136754.tif 000005